(57)【要約】【課題】開封後、大きく開口させてフラップを起立状態に保持できる包装箱を提供する。【解決手段】周壁の隣り合う側面板１，２から折り曲げられた内フラップ４と外フラップ５とが重ね合わされて封緘される包装箱において、内フラップ４には、先端縁から入れられた鉤状の切込により帯状のクリップ片８が形成され、クリップ片８の基部にはヒンジ線９が、先端側には係合切込１０がそれぞれ入れられ、外フラップ５の先端縁にも係合切込１１が入れられたものとする。開封して内フラップ４及び外フラップ５を起立させた状態で、クリップ片８をヒンジ線９が基軸となるように折り返して、内フラップ４と外フラップ５がなす角部に沿って折り曲げ、クリップ片８と外フラップ５の係合切込１０，１１を互いに噛み合わせると、内フラップ４と外フラップ５の起立状態が維持される。【選択図】図３
2017047905.tif 000002
【特許請求の範囲】
【請求項１】
周壁の隣り合う側面板(1,2)から折り曲げられた内フラップ(4)と外フラップ(5)とが重ね合わされて封緘される包装箱において、
前記内フラップ(4)には、先端縁から入れられた鉤状の切込により帯状のクリップ片(8)が形成され、クリップ片(8)の基部にはヒンジ線(9)が、先端側には係合切込(10)がそれぞれ入れられ、外フラップ(5)の先端縁にも係合切込(11)が入れられ、
開封して内フラップ(4)及び外フラップ(5)を起立させた状態で、クリップ片(8)をヒンジ線(9)が基軸となるように折り返して、内フラップ(4)と外フラップ(5)がなす角部に沿って折り曲げ、クリップ片(8)と外フラップ(5)の係合切込(10,11)を互いに噛み合わせると、内フラップ(4)と外フラップ(5)の起立状態が維持されることを特徴とするフラップ起立保持機能付き包装箱。
【発明の詳細な説明】
【技術分野】
【０００１】
この発明は、フラップの重ね合わせにより封緘される包装箱であって、開封後にフラップを起立させた状態に保持できる機能を備えたものに関する。
【背景技術】
【０００２】
一般に、Ａ式と呼ばれる溝切型の段ボール製包装箱は、周壁の隣り合う側面板から折り曲げられた内フラップと外フラップとが重ね合わされて封緘されるものとされている。
【０００３】
このような包装箱は、輸送用の包装のみに使用されるものであり、開封した後、ゴミ箱等、他の用途へ転用することを考慮したものではないため、フラップを起立した状態に保持する手段を備えていない。
【０００４】
また、下記特許文献１には、フラップ起立保持機能付き包装箱として、図５に示すようなものが記載されている。
【０００５】
この包装箱は、ティッシュペーパー容器として使用されるものであり、長さ方向及び幅方向の側面板５１，５２の上端に台形状のフラップ５３，５４がそれぞれ連設され、フラップ５３，５４が上方へかけて内側へ傾斜するように起立した状態で保持されている。
【０００６】
そして、フラップ５３の両側に連設された鉤状の掛合板５５が互いに噛み合わされて、掛合板５５の表面にフラップ５４が重ねられ、フラップ５４の両側の差込片５６がフラップ５３と掛合板５５の境界の差込穴５７に差し込まれて、組立形状が維持されている。
【先行技術文献】
【特許文献】
【０００７】
【特許文献１】特開２０１５−２４８３７号公報
【発明の概要】
【発明が解決しようとする課題】
【０００８】
しかしながら、特許文献１に記載されたフラップの起立状態を保持する構造では、箱の天面が絞られて開口部が小さくなるため、Ａ式の包装箱にゴミ箱への転用のために適用すると、ゴミを投入しにくくなるという問題がある。
【０００９】
そこで、この発明は、開封後、大きく開口させてフラップを起立状態に保持できる包装箱を提供しようとするものである。
【課題を解決するための手段】
【００１０】
上記のような課題を解決するため、この発明は、周壁の隣り合う側面板から折り曲げられた内フラップと外フラップとが重ね合わされて封緘される包装箱において、前記内フラップには、先端縁から入れられた鉤状の切込により帯状のクリップ片が形成され、クリップ片の基部にはヒンジ線が、先端側には係合切込がそれぞれ入れられ、外フラップの先端縁にも係合切込が入れられたものとしたのである。
【００１１】
そして、これにより、開封して内フラップ及び外フラップを起立させた状態で、クリップ片をヒンジ線が基軸となるように折り返して、内フラップと外フラップがなす角部に沿って折り曲げ、クリップ片と外フラップの係合切込を互いに噛み合わせると、内フラップと外フラップの起立状態が維持されるようにしたのである。
【発明の効果】
【００１２】
この発明に係るフラップ起立保持機能を備えた包装箱では、側面板から直立させた内フラップと外フラップとをクリップ片により連結するので、内フラップと外フラップの先端縁に囲まれた開口面積を、側面板に囲まれた箱内の横断面積と同一にすることができ、ゴミ箱に転用した場合、ゴミを容易に投入することができる。また、書類保管箱等に転用することもでき、その場合、書類を容易に収納したり取り出したりすることができる。
【００１３】
また、ブランクの輪郭が通常のＡ式包装箱と変わらないので、通常のＡ式包装箱と同様に、フレキソフォルダグルアで製造でき、ダイカッタでの打抜による製造に比較して、製造コストを抑制できる。
【００１４】
また、内フラップに加工を施してクリップ片を形成しているため、輸送時は外観上、通常のＡ式包装箱と違いがなく、封緘性が維持される。
【図面の簡単な説明】
【００１５】
【図１】この発明に係るフラップ起立保持機能付き包装箱のブランクを示す図
【図２】同上の封緘状態を示す斜視図
【図３】同上の内フラップと外フラップの起立保持状態を示す斜視図
【図４】同上の内フラップと外フラップの連結部分を示す拡大斜視図
【図５】特許文献１に記載のフラップ起立保持機能付き包装箱を示す斜視図
【発明を実施するための形態】
【００１６】
以下、この発明の実施形態を添付図面に基づいて説明する。
【００１７】
この包装箱は、図１に示す段ボールのブランクから成る。このブランクでは、各一対の幅方向及び長さ方向の側面板１，２が交互に連設され、一方の側面板２の側端に継代片３が連設されている。側面板１，２の上端には、天面の内フラップ４と外フラップ５がそれぞれ連設され、側面板１，２の下端には、底面の内フラップ６と外フラップ７がそれぞれ連設されている。
【００１８】
内フラップ４には、先端縁から入れられた鉤状の切込により、先端縁に沿って延びる帯状のクリップ片８が形成され、クリップ片８の基部にはヒンジ線９が、先端側には係合切込１０がそれぞれ入れられている。
【００１９】
ヒンジ線９は、段ボールの裏面から押圧した押罫線と切目から成るものとされ、係合切込１０は、内フラップ４の下方から切り込まれたものとされている。クリップ片８は、係合切込１０より先端側で下方部分が切り欠かれている。
【００２０】
また、外フラップ５の先端縁にも、クリップ片８のヒンジ線９側に係合切込１１が入れられている。係合切込１１は、外フラップ５の側縁側へ曲がったＬ字状とされ、係合切込１１に臨んで微小な押圧片１２が形成されている。
【００２１】
そして、クリップ片８のヒンジ線９と係合切込１０との間の距離ｋは、周壁稜線（側面板１，２の境界線）の延長線とクリップ片８のヒンジ線９間の距離ｍと、この周壁稜線の延長線と外フラップ５の係合切込１１間の距離ｎとの和に、段ボール１枚の厚さを加えた寸法に対応して、これと同一又はこれより大きく設定されている。
【００２２】
このようなブランクは、製造に際し、周壁の対角に位置する側面板１，２の境界の罫線に沿って折り重ね、継代片３を反対側の側面板１の側端部に貼り付けることにより、偏平な折畳状態としておく。
【００２３】
そして、物品の包装に際しては、図２に示すように、各一対の側面板１，２から四角筒状の周壁を形成し、下方の内フラップ６と外フラップ７とを折り重ねてテープ等で固定することにより底面を閉止し、物品を開放状態の天面から収納した後、上方の内フラップ４と外フラップ５とを折り重ねてテープ等で固定することにより天面を閉止する。
【００２４】
この封緘状態で物品を輸送し、開封して物品を取り出した後、ゴミ箱等として再利用する場合には、図３及び図４に示すように、内フラップ４及び外フラップ５を起立させた状態で、クリップ片８をヒンジ線９が基軸となるように折り返して、内フラップ４と外フラップ５がなす角部に沿って折り曲げ、クリップ片８と外フラップ５の係合切込１０，１１を互いに噛み合わせ、内フラップ４と外フラップ５の起立状態を維持する。
【００２５】
このとき、クリップ片８を、内フラップ４及び外フラップ５の外側に重なる方向へ順次折り曲げると、クリップ片８の係合切込１０より先端側部分が外フラップ５の内側に入り込むので、この部分が外側へ突出して煩わしく感じられることがない。
【００２６】
また、押圧片１２がクリップ片８に押されて折れ曲がり、クリップ片８の係合切込１０より先端側部分は、押圧片１２の反発により押されて、外フラップ５に沿った状態となるので、この部分がゴミ等の投入を妨げることもない。
【００２７】
上記のようなフラップ起立保持機能を備えた包装箱では、側面板１，２から直立させた内フラップ４と外フラップ５とをクリップ片８により連結するので、内フラップ４と外フラップ５の先端縁に囲まれた開口面積を、側面板１，２に囲まれた箱内の横断面積と同一にすることができ、ゴミ箱に転用した場合、ゴミを容易に投入することができる。また、書類保管箱等に転用することもでき、その場合、書類を容易に収納したり取り出したりすることができる。
【００２８】
また、ブランクの輪郭が通常のＡ式包装箱と変わらないので、通常のＡ式包装箱と同様に、フレキソフォルダグルアで製造でき、ダイカッタでの打抜による製造に比較して、製造コストを抑制できる。
【００２９】
また、封緘状態で外フラップ５に覆われる内フラップ４に切込加工を施してクリップ片８を形成しているため、輸送過程においては、外観上、通常のＡ式包装箱と違いがなく、封緘性が維持される。
【００３０】
なお、上記実施形態では、対角位置の２箇所にクリップ片８やヒンジ線９、係合切込１０，１１から成るフラップ起立保持機構を設けているが、このフラップ起立保持機構は、対角位置の４箇所すべてに設けると、内フラップ４と外フラップ５の起立状態の安定性をさらに高めることができる。
【００３１】
また、クリップ片８は、内フラップ４と外フラップ５がなす角部に沿って段目を軸に折れ曲がるので、クリップ片８の中間部に折曲用の罫線を特に入れていないが、クリップ片８を内フラップ４と外フラップ５がなす角部に沿って折り曲げやすいように、クリップ片８の中間部に予めヒンジ線９のような罫線を入れておいてもよい。
【符号の説明】
【００３２】
１，２  側面板
３  継代片
４  内フラップ（天面側）
５  外フラップ（天面側）
６  内フラップ（底面側）
７  外フラップ（底面側）
８  クリップ片
９  ヒンジ線
１０  係合切込（クリップ片側）
１１  係合切込（外フラップ側）
１２  押圧片
【図１】
2017047905.tif 000003
【図２】
2017047905.tif 000004
【図３】
2017047905.tif 000005
【図４】
2017047905.tif 000006
【図５】
2017047905.tif 000007